(57)【特許請求の範囲】
【請求項１】
内部時刻の計時に少なくとも利用されるクロック信号を生成する基準クロック生成手段と、
衛星内部時刻体系の任意エポックを 指定されたシフト量でシフトするエポックシフト手段と、衛星送出信号の複数のメッセージ信号の生成開始位置を エポック単位で指定された任意のエポックにそれぞれシフトして揃えるメッセージシフト手段と、を含む、衛星内部時刻体系の時を刻むタイミングを調整するタイミング調整手段と、
前記基準クロック生成手段から出力されるクロック信号に基づいて生成されるエポック信号に従って内部時刻を刻む計時手段と、
前記計時手段で刻む内部時刻を、衛星内部時刻体系と他の時刻体系との時刻のオフセット値を反映させた新たな内部時刻に較正する管理手段と、
前記管理手段で較正された内部時刻の時刻情報を少なくとも何れかに含む複数のメッセージ信号を、前記タイミング調整手段で調整したエポックを基準に揃ったタイミングで生成可能に設定する衛星信号生成手段と、
を具備することを特徴とする人工衛星。
【請求項２】
前記タイミング調整手段は、指定された任意のエポックタイミングで循環的に永続して生成される１ないし複数の循環型符号列をリセットする循環型符号リセット手段を更に含むことを特徴とする請求項１記載の人工衛星。
【請求項３】
前記タイミング調整手段は、前記循環型符号リセット手段で前記１ないし全部の循環型符号列をリセットするタイミングを定める／受ける際に、循環型符号列のリセット位置を循環型符号列の分解能で定めて／受け付けて、チップ単位のタイミングで前記１ないし全部のメッセージ信号の生成を開始するエポックに揃えて前記１ないし全部の循環型符号列を循環型符号生成手段に再生成させる
ことを特徴とする請求項２記載の人工衛星。
【請求項４】
前記管理手段は、所定時間の間、前記基準クロック生成手段が前記クロック信号を刻む時間を伸長又は短縮することで、前記計時手段で内部時刻を刻むタイミングを前記他の時刻体系で時刻を刻むタイミングに揃えることを特徴とする請求項１ないし３の何れか一項に記載の人工衛星。
【請求項５】
前記管理手段は、所定時間の間、前記基準クロック生成手段が前記クロック信号を刻む時間を伸長又は短縮することで、前記エポックシフト手段でシフトする衛星内部時刻体系の任意エポックを、前記他の時刻体系のエポックに揃えることを特徴とする請求項１ないし３の何れか一項に記載の人工衛星。
【請求項６】
前記管理手段は、所定時間の間、前記基準クロック生成手段が前記クロック信号を刻む時間を伸長又は短縮することで、前記タイミング調整手段で前記循環型符号リセット手段が循環型符号生成手段に循環型符号列を再生成させるタイミングを前記他の時刻体系で循環型符号列が生成されるタイミングに揃えることを特徴とする請求項２又は３に記載の人工衛星。
【請求項７】
前記管理手段は、
前記タイミング調整手段で、前記他の時刻体系のエポック及び循環型符号列の生成開始位置に、自衛星の内部時刻のエポック及び循環型符号列の生成開始位置を揃えると同時的に、
循環型符号列の分解能以下の所定時間の間、前記基準クロック生成手段が前記クロック信号を刻む時間を伸長又は短縮することで、循環型符号列のチップ以下のオフセットを調整する
ことを特徴とする請求項１ないし６の何れか一項に記載の人工衛星。
【請求項８】
測位信号生成部を有する人工衛星であって、
前記人工衛星は、
地上局から、
自衛星の現在の内部時刻と 同期させる衛星測位システムのシステム時刻とのオフセット値を受け付けると共に、
自衛星の現在のエポック位置と 前記衛星測位システムのエポック位置とから定まる自エポックの同期に要するシフト量、
エポック単位で指定された複数のメッセージ信号の揃え位置、
ＰＲＮコードの分解能で指定されたＰＲＮコードのリセット位置、
ＰＲＮコードの分解能以下でクロック信号の一部をシフトさせるオフセット操作、
をそれぞれ受け付けて、
基準クロック生成部で生成されるクロック信号をオフセット操作で調整すると共に、巡回するエポック周期と、巡回する各メッセージ周期と、循環する全部のＰＲＮコードの開始位置とを調整して、前記システム時刻に同期し、
自衛星内の内部時刻を前記オフセット値を反映させた新たな内部時刻に較正し、
前記較正された新たな内部時刻に基づいた時刻情報を含む航法信号群を生成する
ことを特徴とする人工衛星。
【請求項９】
測位信号受信部とＰＲＮコード生成部を有する人工衛星であって、
前記人工衛星は、
前記測位信号受信部から、同期させる衛星測位システムのシステム時刻とクロック信号を受け付け、
自衛星内の内部時刻を前記システム時刻に設定すると共に、自衛星の現在の内部時刻のエポック位置と 前記衛星測位システムのエポック位置とから定まる自エポックの同期に要するシフト量、前記衛星測位システムのエポック位置から始めるためのＰＲＮコードのリセット位置、を定め、
巡回する内部時刻のエポック周期と、循環する全部のＰＲＮコードの開始位置とを調整して、前記システム時刻に内部時刻のエポックを同期させると共に、前記ＰＲＮコード生成部からＰＲＮコードの分解能を有する時刻パルスを、衛星送出信号に含ませる時刻情報のカウントに使用する
ことを特徴とする人工衛星。
【請求項１０】
人工衛星で、
衛星外から、衛星内部時刻体系のエポックのシフト量と、衛星内部時刻体系の他の時刻体系との時刻のオフセット値と、エポック単位で定めた複数のメッセージ信号の揃え位置と、を含むテレコマンドでそれぞれ受け付けて、
基準クロック生成部で生成されるクロック信号に基づいて巡回する衛星内のエポック周期と各メッセージ周期とを、前記エポックのシフト量と前記メッセージ信号の揃え位置に基づいてそれぞれ調整し、
調整したエポックを示す衛星内の内部時刻を、前記他の時刻体系との時刻のオフセット値を反映させた新たな内部時刻に較正し、
較正された新たな内部時刻に基づいた時刻情報を用いた衛星送出信号を調整したエポック及びメッセージ開始位置を基準に生成する
ことを特徴とする人工衛星の衛星送出信号生成方法。
【発明の詳細な説明】
【技術分野】
【０００１】
本発明は、内部時刻を管理する人工衛星、及びその人工衛星の衛星送出信号生成方法に関するものである。
【背景技術】
【０００２】
人工衛星は、その内部に時計を有するものが多い。また、人工衛星は、その時計が刻む時刻を利用するものが多い。この時計は、衛星システム内で求める精度に応じた装置が適宜採用されている。
【０００３】
衛星に搭載される時計は、原子時計や水晶発振子を利用した時計、ＧＰＳ（Global Positioning System）信号に同期させる時計、これらの複合させた時計などがある。例えばＧＮＳＳ（Global Navigation Satellite System）の衛星の様に高精度な時刻を用いる衛星では、原子時計を利用している。なお、ＧＮＳＳは、各衛星の時刻とシステム時刻を厳密に管理することで測位を可能にする。
【０００４】
衛星に搭載される時計に関連する技術は、以下の文献に開示している。
【０００５】
特許文献１は、クロック信号を生成する衛星内部発振器（クロック生成回路）を含む人工衛星の内部時刻システムを開示する。 
この内部時刻システムは、衛星内部発振器と、ＧＰＳレシーバと、ＧＰＳレシーバで受信した時刻情報を衛星内部発振器のクロック信号に同期させて内部機器に供給する同期手段（リタイミング回路）を含んでいる。この同期手段を含むことで、この内部時刻システムは、ＧＰＳレシーバで受信した時刻情報を、衛星内部発振器のクロック信号の生成分解能で、衛星内部の各要素に提供できる。
【０００６】
特許文献２は、人工衛星に搭載される原子時計を利用するクロック生成装置を記載している。また、特許文献２は、ガリレオに搭載しているクロック生成装置を背景技術に記載している。特許文献２で開示されたクロック生成装置では、背景に記載されたクロック生成装置よりも高精度及び低コストなクロック生成装置を提供している。
【先行技術文献】
【特許文献】
【０００７】
【特許文献１】特開平１０−１７７０８１号公報
【特許文献２】特開２０１０−２５９０７２号公報
【発明の概要】
【発明が解決しようとする課題】
【０００８】
人工衛星を利用するに当たり、利用者は、その衛星の内部時刻を精確に刻むことを望む。また、利用者は、内部時刻を協定世界時やＧＰＳ時刻、又は他の時刻体系にリアルタイム又は事後的に変換できることを望む。
【０００９】
このため、利用者は、その衛星の内部時刻と各時刻系統とのオフセット量を正確に把握した後に、できるだけ容易にその差を内部時刻に設定できる仕組みを望んでいる。
【００１０】
この仕組みでは、短時間で、衛星内部時刻を刻むタイミングを他の時刻系統が時を刻むタイミングに同期させ 且つ他の時刻系統の時刻に整合させ得ることが望ましい。
【００１１】
また、この仕組みでは、衛星が生成する衛星送出信号に付与する時刻が他の時刻系統に高い精度で一致していることも望まれる。
【００１２】
このため、その衛星内で他の時刻系統に同期した内部時刻を遅滞なく衛星送出信号に利用できる仕組みが望まれる。
【００１３】
発明者は、これらの仕組みを検討した。
【００１４】
現在、協定世界時やＧＰＳ時刻は、高精度にその時刻が維持されている。これらの時刻体系に高精度に同期できれば、衛星の内部時刻も高精度に維持できる。
【００１５】
特許文献１に記載された内部時刻システムは、概ねＧＰＳ時刻に同期できるものの、その同期精度に改善の余地がある。 
いくつか、具体的に問題を述べれば、特許文献１に記載された内部時刻システムは、ＧＰＳレシーバで受信した時刻情報を衛星内部発振器のクロック信号に同期させて内部機器に供給する。このため、ＧＰＳレシーバの受信精度と内部発振器の発振精度の低い方の刻む精度に依拠する。またＧＰＳレシーバの出力時刻は、その時点のＧＰＳ時刻（真のＧＰＳシステム時刻）に完全に同期しているとまでは云えない。
【００１６】
また、この内部時刻システムは、ＧＰＳレシーバにＧＰＳ信号を受ける必要があり、ＧＰＳ衛星よりも高高度を飛行する衛星に用いられない。
【００１７】
なお、特許文献２は、内部時刻の生成や他の時刻系統に同期させる仕組みを開示していない。
【００１８】
本発明は、上記観点を追及し、衛星の内部時刻を他の時刻系統に早期に精確に同期させて、衛星内で生成する衛星送出信号に精確に反映させる人工衛星、及び人工衛星の衛星送出信号生成方法を提供することを目的とする。
【課題を解決するための手段】
【００１９】
本発明の一実施形態に係る人工衛星は、内部時刻の計時に少なくとも利用されるクロック信号を生成する基準クロック生成手段と、衛星内部時刻体系の任意エポックを 指定されたシフト量でシフトするエポックシフト手段と 衛星送出信号の複数のメッセージ信号の生成開始位置を エポック単位で指定された任意のエポックにそれぞれシフトして揃えるメッセージシフト手段と を含む、衛星内部時刻体系の時を刻むタイミングを調整するタイミング調整手段と、前記基準クロック生成手段から出力されるクロック信号に基づいて生成されるエポック信号に従って内部時刻を刻む計時手段と、前記計時手段で刻む内部時刻を、衛星内部時刻体系と他の時刻体系との時刻のオフセット値を反映させた新たな内部時刻に較正する管理手段と、前記管理手段で較正された内部時刻の時刻情報を少なくとも何れかに含む複数のメッセージ信号を、前記タイミング調整手段で調整したエポックを基準に揃ったタイミングで生成可能に設定する衛星信号生成手段と、を具備することを特徴とする。
【００２０】
本発明の一実施形態に係る人工衛星の衛星送出信号生成方法は、人工衛星で、衛星外から、衛星内部時刻体系のエポックのシフト量と、衛星内部時刻体系の他の時刻体系との時刻のオフセット値と、エポック単位で定めた複数のメッセージ信号の揃え位置と、を含むテレコマンドでそれぞれ受け付けて、基準クロック生成部で生成されるクロック信号に基づいて巡回する衛星内のエポック周期と各メッセージ周期とを、前記エポックのシフト量と前記メッセージ信号の揃え位置に基づいてそれぞれ調整し、調整したエポックを示す衛星内の内部時刻を、前記他の時刻体系との時刻のオフセット値を反映させた新たな内部時刻に較正し、較正された新たな内部時刻に基づいた時刻情報を用いた衛星送出信号を調整したエポック及びメッセージ開始位置を基準に生成することを特徴とする。
【発明の効果】
【００２１】
本発明によれば、衛星の内部時刻を他の時刻系統に早期に精確に同期させて、衛星内で生成する衛星送出信号に精確に反映させる人工衛星、及び人工衛星の衛星送出信号生成方法を提供できる。
【図面の簡単な説明】
【００２２】
【図１】本発明にかかる第１の実施形態の人工衛星の内部構造を示すブロック図である。
【図２】人工衛星１の制御シーケンス例を示すフローチャートである。
【図３】第２の実施形態の人工衛星２の内部構造を示すブロック図である。
【図４】第３の実施形態の人工衛星３の内部構造を示すブロック図である。
【図５】エポックシフト部２１で実施するエポックシフトを説明するタイミングチャートである。
【図６】メッセージシフト部２２で実施する先頭揃えを説明するタイミングチャートである。
【図７】循環型符号リセット部２３で実施するリセット処理を説明するタイミングチャートである。
【図８】一構成例に係る測位衛星４を示すブロック図である。
【図９】一構成例に係る観測衛星５を示すブロック図である。
【発明を実施するための形態】
【００２３】
本発明の実施形態を図面を参照しながら説明する。各図は、発明に係る構成要素や制御タイミングを概略的に示す図である。また、実施形態間で同様な説明は簡略化または省略する。
【００２４】
［第１の実施形態］ 
図１は、第１の実施形態の人工衛星１の内部構造を示すブロック図である。
【００２５】
人工衛星１は、図示するように、基準クロック生成部１０と、タイミング調整部２０と、計時部３０と、管理部４０と、衛星信号生成部５０とを含み構成している。また、人工衛星１は、衛星外の通信機器（地上局や宇宙機、他の衛星など）からテレコマンドを受ける受信部（図示せず）、他の通信機器にテレメトリを送る送信部（図示せず）、衛星用電源装置（図示せず）、放送機器（図示せず）、通信機器（図示せず）、観測機器（図示せず）なども必要に応じて搭載する。
【００２６】
基準クロック生成部１０は、内部時刻の計時に少なくとも利用されるクロック信号を生成する。基準クロックの発振源は、用途に合わせた精度の原子時計や水晶発振子などを適宜採用すればよい。
【００２７】
タイミング調整部２０は、後述する構成要素を含み、他の時刻体系の計時タイミングに同期させるように衛星内部時刻体系が刻む計時タイミングを調整する。また、タイミング調整部２０は、基準クロック生成部１０から受け付けたクロック信号からエポック信号を生成して必要とする機器に出力する。
【００２８】
エポックシフト部２１は、衛星内部時刻体系の任意エポックを、衛星がテレコマンドで指定されたシフト量でシフトする。すなわち、エポックシフト部２１は、エポック間の時間を延長／短縮するように、衛星内部時刻体系の刻むタイミングをシフトする。シフト量の分解能は細かいことが望ましい。例えば、エポックと同期して衛星内で時刻信号として生成するＰＲＮコード（Pseudo Random Noise code）の繰り返し周期とすることで、エポックの周期に対して充分高い設定分解能を得られる。
【００２９】
メッセージシフト部２２は、衛星送出信号の複数のメッセージ信号（例えば複数の航法メッセージ信号）の生成開始位置をエポック単位で指定された任意のエポックにそれぞれシフトして揃える。例えば航法メッセージ信号を生成する場合、その航法メッセージ信号各々には異なる内部時刻が付与されることを避けることが強く望まれる。このため、メッセージシフト部２２において、同時的に衛星から送出される各メッセージ信号に付与される内部時刻が同じになるように、各メッセージ信号の生成開始位置をエポック単位で揃える。なお、衛星内で生成されるメッセージ信号は、単一のケースもある。
【００３０】
エポック期間は、衛星機能や用途などに基づいた期間を採用すればよく、特に限定は無い。例えば、測位衛星であれば、現システムと同じ１．５秒周期のエポックで動作させればよく、観測衛星であれば１秒若しくはそれ以下の秒数を採用すればよい。
【００３１】
計時部３０は、基準クロック生成部１０から出力されるクロック信号に基づいて生成されるエポック信号で内部時刻を刻む。本実施形態では、計時部３０は、タイミング調整部２０を介してエポック信号を受け付けて、内部時刻を計時する。
【００３２】
管理部４０は、計時部３０で刻む内部時刻（現時点のエポック数）を、衛星がテレコマンドで指定された、衛星内部時刻体系と他の時刻体系との時刻のオフセット値を反映させた新たな内部時刻（調整したエポック数）に較正して保持する。また、管理部４０は、較正する内部時刻（設定値のエポック数）を計時部３０に設定する。なお、内部時刻は、何れの国の時刻体系に準じても良いし、測位システムのＺカウントを用いた時刻体系のように、そのシステム独自の時刻体系に準じていてもよい。
【００３３】
衛星信号生成部５０は、衛星の用途に合わせた衛星送出信号（例えば、測位信号用メッセージ（航法メッセージ）、観測信号用メッセージ、通信中継信号用メッセージなど）を生成可能に構成されている。衛星信号生成部５０は、管理部４０で較正された内部時刻の時刻情報を含む衛星送出信号を、タイミング調整部２０で調整されたエポックを基準で生成する。また、衛星信号生成部５０は、管理部４０で保持された内部時刻の取得に変えて、計時部３０から内部時刻を読み出して、較正された内部時刻の時刻情報を含む衛星送出信号を生成することとしてもよい。なお、衛星信号生成部５０は、測位信号用メッセージの航法メッセージをＰＲＮコードに重ねる変調のように、生成するメッセージの種別によってはメッセージ信号の生成と共に別の信号処理を実施してもよい。
【００３４】
その後、人工衛星１は、適宜所望のタイミングで生成した衛星送出信号を、送信部（図示せず）から人工衛星１外に放送又は通信で送出する。この送信部では、適宜 変調や拡散変調などが行われて、アンテナから衛星送出信号が送出される。
【００３５】
上記構成によって、人工衛星１は、衛星外で導出された高精度なエポックのシフト量と時刻のオフセット値を用いて、衛星内部時刻体系を他の時刻系統に早期に精確に同期させることができる。また、衛星内で生成される各メッセージに他の時刻体系に精確に同期した内部時刻を早期に反映させることができる。
【００３６】
この結果、衛星内部時刻体系の時刻を早期に同期でき、また衛星送出信号に入れ込む時刻情報と衛星送出信号の生成タイミングの歪みが極少量に収め得る。
【００３７】
次に、本人工衛星１の時刻同期及び衛星送出信号の生成に関連する制御手法を説明する。
【００３８】
図２は、人工衛星１の制御シーケンス例を示すフローチャートである。
【００３９】
この同期手法では、まず、人工衛星１は、衛星外から、衛星内部時刻体系のエポックのシフト量と、衛星内部時刻体系の他の時刻体系との時刻のオフセット値と、複数のメッセージ信号の先頭揃え位置と、を調整命令として受け付ける。より具体的な例では、管理部４０は、他の時刻体系に同期させるための上記３種類の情報をそれぞれテレコマンドで（地上局や宇宙機などから）受け入れる（Ｓ０１）。
【００４０】
次に、タイミング調整部２０は、管理部４０からエポックのシフト量とメッセージ信号の揃え位置を取得して、衛星内のエポック周期と各メッセージ周期とをエポックのシフト量とメッセージ信号の先頭揃え位置に基づいて調整する（Ｓ０２）。
【００４１】
Ｓ０２と並行して、管理部４０と計時部３０は、調整したエポックを示す衛星内の内部時刻を、時刻のオフセット量を反映させた新たな内部時刻に較正する（Ｓ０３）。
【００４２】
衛星信号生成部５０は、較正された新たな内部時刻に基づいた時刻情報を用いた衛星送出信号を調整したエポック及びメッセージ開始位置を基準に生成する（Ｓ０４）。
【００４３】
このように各部を動作させることで、衛星内部時刻とメッセージ生成タイミングを他の時刻体系に精密且つ早期に同期させる仕組みを実現できる。
【００４４】
［第２の実施形態］ 
図３は、第２の実施形態の人工衛星２を示すブロック図である。第１の実施形態と同様な部分の説明は簡略化する。
【００４５】
人工衛星２は、人工衛星１と同様に、基準クロック生成部１０と、タイミング調整部２０’と、計時部３０と、管理部４０と、衛星信号生成部５０とを含み構成している。
【００４６】
人工衛星２と人工衛星１との違いは、タイミング調整部２０’に、循環型符号列をリセットする循環型符号リセット部２３を具備するか否かである。また、第２の実施形態では、図３に示すように、衛星信号生成部５０に明示的に循環型符号生成器５１を記載する。なお、他の実施形態の人工衛星が循環型符号生成器５１を有する構成を除外することを示すものではない。循環型符号生成器５１が生成する循環型符号は、例えば、測位システムで用いるＰＲＮコードなどのように、その目的に応じて所望数の符号列を生成すればよい。
【００４７】
循環型符号リセット部２３は、タイミング調整部２０’内に具備されて、エポックシフト部２１及びメッセージシフト部２２と連動して動作する。循環型符号リセット部２３は、指定された任意のエポックタイミングで循環的に永続して生成される１ないし複数の循環型符号列をリセットする。この循環型符号列をリセットするタイミングは、エポックシフト部２１でエポックシフトを実行するタイミング、及びメッセージシフト部２２で、複数のメッセージ信号の生成開始位置を揃えるタイミングに、揃えられる。換言すれば、循環型符号リセット部２３は、メッセージ信号の生成を開始するエポックに揃えて循環型符号列を循環型符号生成器５１に再生成させる。
【００４８】
このタイミング調整（タイミング指定）は、管理部４０が実施すればよい。または、タイミング調整部２０’が自律的にこのタイミング調整を実行するようにしてもよい。また、調整命令を出す地上局などが、エポックを示して指定してもよい。
【００４９】
タイミング調整部２０’は、循環型符号列をリセットするタイミングを循環型符号列の分解能で定め得る／受け得る構成が望ましい。このことで、循環型符号列のチップ単位の時間間隔で、各タイミング（エポックシフトタイミング、メッセージ揃えタイミング、リセットタイミング）の調整が可能になる。
【００５０】
上記構成によって、人工衛星２は、衛星内部処理を他の時刻系統に早期に高精度で同期させ得る。この際、衛星内部時刻体系を他の時刻系統に同期させる精度は、循環型符号列の１チップ単位で実現可能になる。
【００５１】
［第３の実施形態］ 
図４は、第３の実施形態の人工衛星３を示すブロック図である。第１の及び第２の実施形態と同様な部分の説明は簡略化する。本実施形態は、第２の実施形態をベースに差分を記載する。なお、第２の実施形態に変えて第１の実施形態をベースにした構成としてもよい。
【００５２】
人工衛星３は、人工衛星２と同様に、基準クロック生成部１０’と、タイミング調整部２０’と、計時部３０と、管理部４０’と、衛星信号生成部５０とを含み構成している。
【００５３】
人工衛星３と人工衛星２との違いは、管理部４０’が基準クロック生成部１０’で生成されるクロック信号を微調整するか否かである。
【００５４】
基準クロック生成部１０’は、その内部にＶＣＸＯ（Voltage-Controlled crystal Oscillator）を含んでいる。管理部４０’は、ＶＣＸＯに加える印加電圧を調整する。管理部４０’は、このＶＣＸＯに印加する電圧調整で、基準クロックのクロック周波数を意図的にオフセットさせて、内部時刻体系の時を刻むタイミングを微小な値で調整する。なお、ＶＣＸＯを用いずに、他の手法で基準クロックのクロック周波数を意図的にオフセットさせる仕組みでも構わない。
【００５５】
この調整では、管理部４０’で、計時部３０で内部時刻を刻むタイミングを他の時刻体系で時刻を刻むタイミングに揃えるように、所定時間の間、基準クロック生成部１０’がクロック信号を刻む時間を伸長又は短縮すればよい。
【００５６】
また、管理部４０’は、エポックシフトする任意エポックを、他の時刻体系のエポックに揃えるように、所定時間の間、基準クロック生成部１０’がクロック信号を刻む時間を伸長又は短縮することとしてもよい。
【００５７】
また、管理手段４０’は、循環型符号リセット部２３が循環型符号生成器５１に循環型符号列を再生成させるタイミングを他の時刻体系で循環型符号列が生成されるタイミングに揃えるように、調整してもよい。
【００５８】
また、管理手段４０’は、タイミング調整部２０’で実施するタイミング調整と同時的に、循環型符号列のチップ以下のオフセットを調整することを実行可能にできることが望ましい。
【００５９】
なお、タイミング調整部２０’では、他の時刻体系のエポック及び循環型符号列の生成開始位置に、内部時刻のエポック及び循環型符号列の生成開始位置を揃えることで、循環型符号の１チップ分の精度までの同期を受け持つ。
【００６０】
上記構成によって、人工衛星３は、衛星内部処理を他の時刻系統に早期により高精度で同期させ得る。
【００６１】
ここで、上記実施形態で説明したタイミング調整部２０’内の各タイミング調整手法例をタイミングチャートを用いて説明する。
【００６２】
図５は、エポックシフト部２１で実施するエポックシフトを説明するタイミングチャートである。
【００６３】
図５（ａ）は、１．５秒周期のエポック間隔を有する時刻体系で、エポックシフト部２１で図中のエポックZ_t+5を＋１ミリ秒シフトした場合（中段）とエポックZ_t+5を＋１．４９９秒シフトした場合（下段）を示している。図示するように、エポックシフトを実行することで、エポックZ_t+5がそのシフト量分だけ遅くなる。このように、エポックシフト部２１のエポックシフトによって、衛星内部時刻を調整できる。
【００６４】
図５（ｂ）は、他の時刻体系であるＧＰＳシステム時刻に現衛星内部時刻が揃う理屈を示している。
【００６５】
図示しているように、任意時点でのＧＰＳシステム時刻と現衛星内部時刻とのエポック間（刻時タイミング）の時間差を埋めるように、内部時刻の任意エポックをシフトすることで、このシフト量の分解能の精度で時刻を同期できる。図５（ｂ）の例では、エポック区間（１．５秒）とエポック時間差E_tdでシフト量S5が定められる。なお、シフト命令は、例えば１．４秒のシフトを１回する命令のように、所望シフト量を一回で完了する命令でもよいし、０．０１秒のシフト命令を複数組み合わせて所望シフト量を完了する命令であってもよい。
【００６６】
図６は、メッセージシフト部２２で実施する先頭揃えを説明するタイミングチャートである。
【００６７】
図示しているように、任意時点で各メッセージの先頭を揃えるように、各メッセージをシフトすることで、他の時刻体系に同期したタイミングから各メッセージが始まる。また、先頭揃え位置（エポック）を、エポックシフトを実行するエポック（図５のエポックZ_t+5）に揃えて実行することが望ましい。
【００６８】
図７は、循環型符号リセット部２３で実施するリセット処理を説明するタイミングチャートである。
【００６９】
図７（ａ）では、特定エポックで循環型符号のリセットを実施する手法を示している。
【００７０】
循環型符号のリセットは、コードパターンに基づいてリセットすることができる。具体的には、循環型符号リセット部２３は、循環型符号列内の特定のコードパターン部分に到達した際にその循環符号列をリセットして、そのタイミングから循環型符号生成器５１に再生成させる。複数の循環型符号列をリセットする場合、循環型符号リセット部２３は、特定の循環型符号列内の特定のコードパターン部分に到達した際に全ての循環符号列をリセットすればよい。このように、コードパターンを用いることで、循環型符号の１チップ分の時間の精度でタイミングを計ることができる。この特定の循環型符号のコードパターンは、エポックシフトやメッセージ先頭合わせの調整先のタイミング（図５のエポックZ_t+5）に揃えればよい。このことで、このコードパターンの指定でタイミング調整部２０の調整タイミングを規定することで、他の調整結果と循環型符号の再生成タイミングを揃えることが可能になる。
【００７１】
図７（ｂ）では、循環型符号の特定チップでエポックシフトと循環型符号のリセットを実施する手法を示している。
【００７２】
この手法は、タイミング調整部２０が任意の循環型符号内の特定チップ（図中Ｎチップ）に相当するタイミングで、全ての循環型符号をリセットする。このタイミングで、エポックシフトとメッセージ先頭揃えも実施する。任意の循環型符号は、短周期の符号を用いることが望ましい。
【００７３】
換言すれば、タイミング調整部２０内で、循環型符号のチップ数を用いて、エポックシフトやメッセージ先頭合わせの調整先のタイミング（図５のエポックZ_t+5）を規定できる。すなわち、このコードパターンの指定でタイミング調整部２０の調整タイミングを規定することで、他の調整結果と循環型符号の再生成タイミングを１チップ単位の精度で揃えることが可能になる。
【００７４】
この結果、タイミング調整部２０’は、循環型符号の再生成タイミング、複数のメッセージを開始するタイミング、衛星内部時刻体系の時を刻むタイミング（エポック）を、循環型符号の１チップ単位で調整可能になる。
【００７５】
例えば、循環型符号としてＣ／Ａコード、各メッセージとして航法メッセージ、エポック周期を衛星測位システムで用いている１．５秒エポック周期を採用した場合に、Ｃ／Ａコード（1.023MHz）の１チップ単位（約977.5ns）でエポックを調整できる。
【００７６】
このように上記実施形態によれば、衛星の内部時刻を他の時刻系統に早期に精確に同期させて、衛星内で生成する衛星送出信号に精確に反映させる人工衛星、及び人工衛星の衛星送出信号生成方法を提供できる。
【００７７】
次に、上記 実施形態をより具現化した一構成を示して本発明を説明する。
【００７８】
［構成例１］ 
図８は、一構成例に係る測位衛星を示すブロック図である。図８に示した測位衛星４は、第３の実施形態をベースに具現化した構成を有する。また、原振系機器、受信部、送信部を明示的に示している。また、各構成要素をより具現化している。
【００７９】
原振系機器は、原子時計１１、タイムキーピング回路１２、シンセサイザ１３を含み、オンボードコンピュータに衛星基準クロック（10.23MHz）を供給すると共に送信部７０内の変調器に各測位信号用の搬送波を供給する。
【００８０】
タイムキーピング回路１２は、原子時計１１の出力クロックに自己のＶＣＸＯ出力を位相同期させるための位相計測機能とＶＣＸＯ機能を有する。
【００８１】
シンセサイザ１３は、タイムキーピング回路１２のＶＣＸＯ出力とコヒーレントな必要数の搬送波（Ｌ１、Ｌ２、Ｌ５、ＬＥＸ用周波数など）を生成する。
【００８２】
オンボードコンピュータ（プロセッサ４０’’）は、タイムキーピング回路１２を用いて基準クロックの周波数オフセット制御等を行う。また、オンボードコンピュータは、オンボードコンピュータ内で管理する内部時刻（時刻、刻むタイミング）の調整を行う。
【００８３】
オンボードコンピュータは、プロセッサ４０’’を含み、このプロセッサ４０’’が衛星内の各種機能を管理する。このプロセッサ４０’’は、実行するソフトウェアに従い、測位信号の生成や各種調整などの設定やメッセージ送受信制御などを管理する。
【００８４】
タイミング調整部２０’や計時部３０、測位信号生成部５０’などは、１つのＦＰＧＡ（Field Programmable Gate Array）に構築すればよい。また、各部は、複数のＦＰＧＡや複数のＬＳＩ（Large-Scale Integration）などを組み合わせて構築してもよい。
【００８５】
測位信号生成部５０’では、ＧＰＳシステム時刻に同期したタイミングで、Ｌ１Ｃ／Ａ，Ｌ１Ｃ，Ｌ１−ＳＡＦＥ，Ｌ２Ｃ，Ｌ５，ＬＥＸメッセージ信号が逐次生成される。また、測位信号生成部５０’は、各メッセージ信号をＣ／Ａコードで変調する。
【００８６】
送信部７０は、変調器やアンプ、フィルタ、進行波管、アンテナ等を含み、シンセサイザ１３で生成された搬送波を用いて、各変調されたメッセージを衛星送出信号（航法信号）に変調し、アンテナから送出する。
【００８７】
受信部６０は、地上オペレータからのコマンドを受信し、オンボードコンピュータ（プロセッサ４０’’）にそのコマンドを出力する。
【００８８】
この例では、地上局（マスタ局）は、ＧＰＳシステム時刻と現衛星時刻のエポック差を監視して、その差をコマンドで測位衛星４に通知して同期させる。
【００８９】
コマンド内容の具体例は、タイマカウンタに対するオフセット値、タイミング調整部に対するエポックシフト量、複数のメッセージ信号の揃え位置、ＰＲＮコードのリセット位置、タイムキーピング回路に対するオフセット操作量を含む調整命令（較正命令、シフト命令、オフセット命令）をオンボードコンピュータに通知することとすればよい。なお、この例示した情報に変えて同等の情報を伝達できれば、コマンドで他の情報を用いて各タイミングを通知しても構わない。また、地上局（マスタ局）から時刻体系間の同期ヅレ量の通知を受けて、衛星内で各タイミングを設定する値を算出するようにしてもよい。
【００９０】
プロセッサ４０’’は、計時部３０のカウント値に地上局から設定されたオフセット値を加算し、衛星内部時刻を較正する。
【００９１】
同時に、プロセッサ４０’’は、地上局からのコマンドに基づいて、１ミリ秒単位のエポックシフトを実行させて巡回するエポック周期を調整する。
【００９２】
同時に、プロセッサ４０’’は、地上局からのコマンドに基づいて、任意の衛星時刻のエポックタイミングに各測位信号の先頭タイミングをシフトさせて巡回する各メッセージ周期を調整する。
【００９３】
同時に、プロセッサ４０’’は、コマンドに基づいて、循環する全部のＰＲＮコードをリセットさせて、全部のＰＲＮコードの開始位置を調整する。
【００９４】
同時に、プロセッサ４０’’は、コマンドに基づいて、クロック生成部１０’（タイムキーピング回路１２）への基準クロックの周波数制御を実施する。
【００９５】
その後、測位衛星４は、較正された新たな内部時刻に基づいた時刻情報を含む航法信号群を生成して放送する。
【００９６】
これらの処理により、ＧＰＳシステム時刻に高い精度で同期している航法信号を生成する測位衛星を得られる。
【００９７】
具体的な値では、循環型符号としてＣ／Ａコード（1.023MHz）の１チップ単位（約977.5nS）の誤差精度で内部時刻のエポックをＧＰＳシステム時刻に同期できる。
【００９８】
［構成例２］ 
図９は、一構成例に係る観測衛星を示すブロック図である。図９に示した観測衛星５は、各実施形態の一部の構成と共に、ＧＰＳ受信機８０（測位信号受信部）とＰＲＮコード生成器５１’を具備した内部構造を有する。なお、観測機器に関連した構成要素は、説明を省略する。
【００９９】
この構成例のオンボードコンピュータ（プロセッサ４０’’）は、衛星時刻を生成・維持・管理し、衛星内の各機器へ時刻配信を行う。このことで、高精度な衛星の軌道・姿勢制御や観測センサの観測時刻タグ付与等を実現する。
【０１００】
この観測衛星５では、エポック周期として１秒を採用する。また、衛星の内部時刻は、ＧＰＳシステム時刻に高い精度で同期させる。このために、観測衛星５は、ＧＰＳ受信機が生成する時刻パルス（高精度１秒パルス信号）とタイムコード（時刻情報）を内部時刻の源泉タイミングとして受け付ける。
【０１０１】
また、基準クロック生成部１０’’は、クロックリタイミング回路１４（特許文献１参照）を具備している。
【０１０２】
オンボードコンピュータは、ＧＰＳ受信機８０から得た１秒パルス信号（エポック）と内部時刻の１秒単位エポックの位相差を移相計測部２４で計測する。プロセッサ４０’’は、計測した結果が１秒以上の差を検出した際に、内部時刻のエポックシフト量を算定する。その後、プロセッサ４０’’は、エポックシフトをタイミング調整部２０’’で実行する。このことで、ＧＰＳ受信機８０の１秒パルスと内部時刻のエポックの位相差が１ミリ秒以下に近接する。
【０１０３】
加えて、更にＧＰＳシステム時刻に近接させる場合、プロセッサ４０’’は、ＰＲＮコードの位相（パターン）によるリセットをＰＲＮコードのチップレートの分解能で実施する。この時、プロセッサ４０’’は、ＰＲＮコードのリセット位置を、ＧＰＳシステム時刻のエポック位置から始めるタイミングにＰＲＮコードのチップレートの分解能で決定する。このことで、１ミリ秒内の任意のタイミングに内部時刻のエポックタイミングをシフトできる。
【０１０４】
ＧＰＳ受信機８０の１秒パルスと内部時刻のエポック同期が完了したら、ＧＰＳのタイムコードとタイマカウンタから取得した内部時刻エポックのカウント値を比較して、その差分をオフセットとしてプロセッサ４０’’で管理する。
【０１０５】
この同期動作を実行するで、観測衛星５の内部時刻は、ＧＰＳシステム時刻と同期する。
【０１０６】
また、必要に応じて、ＰＲＮコード生成器５１’からＰＲＮコードの分解能を有する時刻パルスを、様々な時刻情報のカウントに使用する。この時刻パルスは、内部時刻エポック周期よりも細かく刻まれるため、より精度が高い時刻が観測結果や姿勢制御などに使用できる。
【０１０７】
これらの処理により、ＧＰＳシステム時刻に高い精度で同期しているＰＲＮコードを利用した時刻パルスを利用可能になる。結果、衛星送出信号に含まれる時刻情報がＧＰＳ時刻系統に精確に同期する観測衛星を得られる。
【０１０８】
なお、本構成例は、観測衛星を例示したが、通信衛星で同様の仕組みを実現してもよい。
【０１０９】
なお、オンボードコンピュータの各部は、ハードウェアとソフトウェアの組み合わせを用いて適宜実現すればよい。ハードウェアは、ＦＰＧＡやＬＳＩで構成できる。また、管理部は、ハードウェアとソフトウェアとを組み合わせた形態では、メモリーに衛星のメインプログラムやサブプログラムが展開され、これらのプログラムに基づいてプロセッサ等のハードウェアを動作させる。また、このプログラムは、記録媒体に非一時的に記録されて頒布されても良い。
【０１１０】
以上実施形態及び構成例を図示して説明したが、本発明の具体的な衛星内の内部構成は前述の実施形態、構成例に限られるものではなく、この発明の要旨を逸脱しない範囲の変更があってもこの発明に含まれる。
【０１１１】
以上説明したように、本発明によれば、衛星の内部時刻を他の時刻系統に早期に精確に同期させて、衛星内で生成する衛星送出信号に精確に反映させる人工衛星、及び人工衛星の衛星送出信号生成方法を提供できる。
【０１１２】
また、上記の実施形態の一部又は全部は、以下のようにも記載されうる。尚、以下の付記は本発明をなんら限定するものではない。  
［付記１］ 
内部時刻の計時に少なくとも利用されるクロック信号を生成する基準クロック生成手段と、
衛星内部時刻体系の任意エポックを 指定されたシフト量でシフトするエポックシフト手段と、衛星送出信号の複数のメッセージ信号の生成開始位置を エポック単位で指定された任意のエポックにそれぞれシフトして揃えるメッセージシフト手段と、を含む、衛星内部時刻体系の時を刻むタイミングを調整するタイミング調整手段と、
前記クロック生成手段から出力されるクロック信号に基づいて生成されるエポック信号に従って内部時刻を刻む計時手段と、
前記計時手段で刻む内部時刻を、衛星内部時刻体系と他の時刻体系との時刻のオフセット値を反映させた新たな内部時刻に較正する管理手段と、
前記管理手段で較正された内部時刻の時刻情報を少なくとも何れかに含む複数のメッセージ信号を、前記タイミング調整手段で調整したエポックを基準に揃ったタイミングで生成可能に設定する衛星信号生成手段と、
を具備することを特徴とする人工衛星。
【０１１３】
［付記２］ 
前記タイミング調整手段は、指定された任意のエポックタイミングで循環的に永続して生成される１ないし複数の循環型符号列をリセットする循環型符号リセット手段を更に含むことを特徴とする上記付記記載の人工衛星。
【０１１４】
［付記３］
前記タイミング調整手段は、前記循環型符号リセット手段で前記１ないし全部の循環型符号列をリセットするタイミングを定める／受ける際に、循環型符号列のリセット位置を循環型符号列の分解能で定めて／受け付けて、チップ単位のタイミングで前記１ないし全部のメッセージ信号の生成を開始するエポックに揃えて前記１ないし全部の循環型符号列を循環型符号生成手段に再生成させる
ことを特徴とする上記付記記載の人工衛星。
【０１１５】
［付記４］
前記管理手段は、所定時間の間、前記基準クロック生成手段が前記クロック信号を刻む時間を伸長又は短縮することで、前記計時手段で内部時刻を刻むタイミングを前記他の時刻体系で時刻を刻むタイミングに揃えることを特徴とする上記付記記載に記載の人工衛星。
【０１１６】
［付記５］
前記管理手段は、所定時間の間、前記基準クロック生成手段が前記クロック信号を刻む時間を伸長又は短縮することで、エポックシフト手段でシフトする衛星内部時刻体系の任意エポックを、前記他の時刻体系のエポックに揃えることを特徴とする上記付記記載に記載の人工衛星。
【０１１７】
［付記６］
前記管理手段は、所定時間の間、前記基準クロック生成手段が前記クロック信号を刻む時間を伸長又は短縮することで、前記タイミング調整手段で前記循環型符号リセット手段が循環型符号生成手段に循環型符号列を再生成させるタイミングを前記他の時刻体系で循環型符号列が生成されるタイミングに揃えることを特徴とする上記付記記載に記載の人工衛星。
【０１１８】
［付記７］
前記管理手段は、
前記タイミング調整手段で、前記他の時刻体系のエポック及び循環型符号列の生成開始位置に、自衛星の内部時刻のエポック及び循環型符号列の生成開始位置を揃えると同時的に、
循環型符号列の分解能以下の所定時間の間、前記基準クロック生成手段が前記クロック信号を刻む時間を伸長又は短縮することで、循環型符号列のチップ以下のオフセットを調整する
ことを特徴とする上記付記記載の人工衛星。
【０１１９】
［付記８］
測位信号生成部を有する人工衛星で、
前記人工衛星は、
地上局から、
自衛星の現在の内部時刻と 同期させる衛星測位システムのシステム時刻とのオフセット値を受け付けると共に、
自衛星の現在のエポック位置と 前記衛星測位システムのエポック位置とから定まる自エポックの同期に要するシフト量、
エポック単位で指定された複数のメッセージ信号の揃え位置、
ＰＲＮコードの分解能で指定されたＰＲＮコードのリセット位置、
ＰＲＮコードの分解能以下でクロック信号の一部をシフトさせるオフセット操作、
をそれぞれ受け付けて、
クロック生成部で生成されるクロック信号をオフセット操作で調整すると共に、巡回するエポック周期と、巡回する各メッセージ周期と、循環する全部のＰＲＮコードの開始位置とを調整して、前記システム時刻に同期し、
自衛星内の内部時刻を前記時刻のオフセット量を反映させた新たな内部時刻に較正し、
前記較正された新たな内部時刻に基づいた時刻情報を含む航法信号群を生成する
ことを特徴とする人工衛星。
【０１２０】
［付記９］
測位信号受信部とＰＲＮコード生成部を有する人工衛星で、
前記人工衛星は、
前記測位信号受信部から、同期させる衛星測位システムのシステム時刻とクロック信号を受け付け、
自衛星内の内部時刻を前記システム時刻に設定すると共に、自衛星の現在の内部時刻のエポック位置と 前記衛星測位システムのエポック位置とから定まる自エポックの同期に要するシフト量、前記衛星測位システムのエポック位置から始めるためのＰＲＮコードのリセット位置、を定め、
巡回する内部時刻のエポック周期と、循環する全部のＰＲＮコードの開始位置とを調整して、前記システム時刻に内部時刻のエポックを同期させると共に、  前記ＰＲＮコード生成部からＰＲＮコードの分解能を有する時刻パルスを、衛星送出信号に含ませる時刻情報のカウントに使用する
ことを特徴とする人工衛星。
【０１２１】
［付記１０］ 
内部時刻の時刻情報を含む複数のメッセージ信号を生成する衛星信号生成回路を具備する人工衛星に用いられ、
人工衛星内のプロセッサを、
人工衛星内の内部時刻の計時に少なくとも利用されるクロック信号を生成する基準クロック生成回路から出力されるクロック信号に基づいて生成されるエポック信号に従って内部時刻を刻む計時回路で刻む内部時刻を、衛星内部時刻体系と他の時刻体系との時刻のオフセット値を反映させた新たな内部時刻に較正すると共に、
衛星内部時刻体系の任意エポックを 指定されたシフト量でシフトするエポックシフト回路と、衛星送出信号の複数のメッセージ信号の生成開始位置を エポック単位で指定された任意のエポックにそれぞれシフトして揃えるメッセージシフト回路と、を含む、衛星内部時刻体系の時を刻むタイミングを調整可能なタイミング調整回路に、テレメトリで指定されたシフト量で衛星内部時刻体系の任意エポックをシフトさせる指示と、テレメトリでエポック単位で指定された衛星送出信号の複数のメッセージ信号の生成開始位置を 指定された任意のエポックにそれぞれシフトして揃えさせる指示とを通知する、
管理部として動作させる、
プログラム。
【０１２２】
［付記１１］
人工衛星で、
衛星外から、衛星内部時刻体系のエポックのシフト量と、衛星内部時刻体系の他の時刻体系との時刻のオフセット値と、エポック単位で定めた複数のメッセージ信号の揃え位置と、を含むテレコマンドでそれぞれ受け付けて、
クロック生成部で生成されるクロック信号に基づいて巡回する衛星内のエポック周期と各メッセージ周期とを、前記エポックのシフト量と前記メッセージ信号の揃え位置に基づいてそれぞれ調整し、
調整したエポックを示す衛星内の内部時刻を、前記時刻のオフセット量を反映させた新たな内部時刻に較正し、
較正された新たな内部時刻に基づいた時刻情報を用いた衛星送出信号を調整したエポック及びメッセージ開始位置を基準に生成する
ことを特徴とする人工衛星の衛星送出信号生成方法。
【０１２３】
［付記１２］ 
衛星内のエポック周期と各メッセージ周期とをそれぞれ調整すると共に、
指定された任意のエポックタイミングで循環的に永続して生成される１ないし複数の循環型符号列をリセットする
ことを特徴とする上記付記記載の人工衛星の衛星送出信号生成方法。
【０１２４】
［付記１３］
前記１ないし全部の循環型符号列をリセットするタイミングを定める／受ける際に、循環型符号列のリセット位置を循環型符号列の分解能で定めて／受け付けて、チップ単位のタイミングで前記１ないし全部のメッセージ信号の生成を開始するエポックに揃えて前記１ないし全部の循環型符号列を生成することを特徴とする上記付記記載の人工衛星の衛星送出信号生成方法。
【０１２５】
［付記１４］
所定時間の間、刻む時間を伸長又は短縮することで、内部時刻を刻むタイミングを前記他の時刻体系で時刻を刻むタイミングに揃えることを特徴とする上記付記記載に記載の人工衛星の衛星送出信号生成方法。
【０１２６】
［付記１５］
所定時間の間、刻む時間を伸長又は短縮することで、衛星内部時刻体系の任意エポックを、前記他の時刻体系のエポックに揃えることを特徴とする上記付記記載に記載の人工衛星の衛星送出信号生成方法。
【０１２７】
［付記１６］
所定時間の間、刻む時間を伸長又は短縮することで、循環型符号列を生成させるタイミングを前記他の時刻体系で循環型符号列が生成されるタイミングに揃えることを特徴とする上記付記記載に記載の人工衛星の衛星送出信号生成方法。
【０１２８】
［付記１７］
前記他の時刻体系のエポック及び循環型符号列の生成開始位置に、自衛星の内部時刻のエポック及び循環型符号列の生成開始位置を揃えると同時的に、
循環型符号列の分解能以下の所定時間の間、刻む時間を伸長又は短縮することで、循環型符号列のチップ以下のオフセットを調整する
ことを特徴とする上記付記記載の人工衛星の衛星送出信号生成方法。
【０１２９】
［付記１８］
測位信号生成部を有する人工衛星で、
前記人工衛星は、
地上局から、
自衛星の現在の内部時刻と 同期させる衛星測位システムのシステム時刻とのオフセット値を受け付けると共に、
自衛星の現在のエポック位置と 前記衛星測位システムのエポック位置とから定まる自エポックの同期に要するシフト量、
エポック単位で指定された複数のメッセージ信号の揃え位置、
ＰＲＮコードの分解能で指定されたＰＲＮコードのリセット位置、
ＰＲＮコードの分解能以下でクロック信号の一部をシフトさせるオフセット操作、
をそれぞれ受け付けて、
クロック生成部で生成されるクロック信号をオフセット操作で調整すると共に、巡回するエポック周期と、巡回する各メッセージ周期と、循環する全部のＰＲＮコードの開始位置とを調整して、前記システム時刻に同期し、
自衛星内の内部時刻を前記時刻のオフセット量を反映させた新たな内部時刻に較正し、
前記較正された新たな内部時刻に基づいた時刻情報を含む航法信号群を生成する
ことを特徴とする人工衛星の衛星送出信号生成方法。
【０１３０】
［付記１９］
測位信号受信部とＰＲＮコード生成部を有する人工衛星で、
前記人工衛星は、
前記測位信号受信部から、同期させる衛星測位システムのシステム時刻とクロック信号を受け付け、
自衛星内の内部時刻を前記システム時刻に設定すると共に、自衛星の現在の内部時刻のエポック位置と 前記衛星測位システムのエポック位置とから定まる自エポックの同期に要するシフト量、前記衛星測位システムのエポック位置から始めるためのＰＲＮコードのリセット位置、を定め、
巡回する内部時刻のエポック周期と、循環する全部のＰＲＮコードの開始位置とを調整して、前記システム時刻に内部時刻のエポックを同期させると共に、前記ＰＲＮコード生成部からＰＲＮコードの分解能を有する時刻パルスを、衛星送出信号に含ませる時刻情報のカウントに使用する
ことを特徴とする人工衛星の衛星送出信号生成方法。
【符号の説明】
【０１３１】
１，２，３  人工衛星
４          測位衛星
５          観測衛星
１０，１０’，１０’’基準クロック生成部
１１        原子時計
１２        タイムキーピング回路
１３        シンセサイザ
１４        クロックリタイミング回路
２０，２０’，２０’’タイミング調整部
２１        エポックシフト部
２２        メッセージシフト部
２３        循環型符号リセット部
２３’      ＰＲＮコードリセット部
２４        移相計測部
３０        計時部
４０，４０’管理部（コントローラ）
４０’’     プロセッサ
５０        衛星信号生成部
５０’      測位信号生成部
５０’’     観測信号生成部
５１        循環型符号生成器
５１’      ＰＲＮコード生成器
６０        受信部
７０        送信部
８０        ＧＰＳ受信機（測位信号受信部）
【図１】
0006624632.tif 000002
【図２】
0006624632.tif 000003
【図３】
0006624632.tif 000004
【図４】
0006624632.tif 000005
【図５】
0006624632.tif 000006
【図６】
0006624632.tif 000007
【図７】
0006624632.tif 000008
【図８】
0006624632.tif 000009
【図９】
0006624632.tif 000010